(57)【要約】  水供給システムは、複数階の建物用の消防設備及び屋内設備を一体化する。竪環状本管１１は、それぞれの階における配管網５０に水を供給する。それぞれの配管網は、特定の居住単位用のスプリンクラーＳと屋内水設備Ｆとの両方に水を供給する複数の横引き環状本管を備えている。それぞれの階は、竪環状本管に接続された消火栓１６も備えている。それぞれの竪環状本管に、１つのポンプを使用することができる。
2008501077.tif 000002
【特許請求の範囲】
【請求項１】
複数階の建物に、一体化された水供給サービスを提供する水供給システムであって、
前記複数階の建物の少なくとも２つの階に水を供給する少なくとも１つの竪管と、
該少なくとも１つの竪管に接続されたそれぞれの階における少なくとも１つの水道栓と、
前記竪管に接続されたそれぞれの階における水供給網と
を備え、
該水供給網は、
それぞれの階の複数の居住単位のそれぞれに水をそれぞれ供給する複数の横引き環状本管と、
該複数の横引き環状本管のそれぞれに接続された少なくとも１つの消防スプリンクラーと、
少なくとも１つの前記複数の横引き環状本管を、少なくとも１つの屋内水設備に接続する少なくとも１つの竪枝管と
を備える水供給システム。
【請求項２】
前記複数の横引き環状本管は、多岐管を介して前記少なくとも１つの竪管に接続されている、請求項１に記載の水供給システム。
【請求項３】
前記少なくとも１つの竪管と前記水供給網との間に接続された流れモニターをさらに備える、請求項１に記載の水供給システム。
【請求項４】
前記水供給網はさらに、少なくとも１つのホースリールを備える、請求項１に記載の水供給システム。
【請求項５】
前記少なくとも１つの屋内水設備の動作は、前記複数の横引き環状本管の周囲で、前記少なくとも１つの竪管から水を引き、前記屋内水設備に接続された前記少なくとも１つの竪枝管に流下させる、請求項１に記載の水供給システム。
【請求項６】
複数の区域を有する複数階の建物用の水供給サービスであって、
該水供給サービスは複数の水供給システムを備え、
該複数の水供給システムのそれぞれは、前記複数の区域の対応する１つに水を供給し、
前記複数の水供給システムのそれぞれは、
前記対応する区域に位置する階に水を供給する少なくとも１つの竪管と、
前記階のそれぞれにおける前記少なくとも１つの竪管に接続された水道栓と、
前記階のそれぞれにおける前記竪管に接続された水供給網と
を備え、
前記水供給網は、
それぞれの階の複数の居住単位のそれぞれに水をそれぞれ供給する複数の横引き環状本管と、
該複数の横引き環状本管のそれぞれに接続された少なくとも１つの消防スプリンクラーと、
少なくとも１つの前記複数の横引き環状本管を少なくとも１つの屋内水設備に接続する少なくとも１つの竪枝管と
を備える水供給施設。
【発明の詳細な説明】
【技術分野】
【０００１】
［発明の背景］
複数階の建物用の従来の水供給サービスは、消火用及び屋内用の２以上の別々の配管システムを介して、水をそれぞれの階に供給する。それぞれの配管システムは、通常、建物の基部に固定された（housed）別々のポンプを有している。
【０００２】
防火設備（fire protection）は通常、建物全体を通して、水をスプリンクラーヘッド及び水道栓バルブ（hydrant valves）にポンプで送るシステム全体に設けられている。別々のスプリンクラーと水道栓システムとが一般的に設けられている。消火水サービスは滅多に用いられないが、緊急時に適切な動作を補償するために定期的にテストをしなければならない。しかし、特に、テストはしばしば行われないことがあり、それぞれのポンプは、数年またはそれ以上の間隔が空いてしまい、動作しなくなる可能性がある。
【０００３】
屋内サービス（domestic service）は通常、それぞれの階の配管網を通して水を水設備（plumbing fixtures）にポンプで送るシステムを介して設けられている。屋内システム（domestic system）は一般的に、消火システム（fire system）から離れて設けられており、それぞれの階及び複数のポンプに接続される複数の配管が必要となる。
【０００４】
［発明の概要］
この発明の目的は、消火システム及び屋内システムを組み合わせた複数階の建物用の一体化されたシステムを提供することであり、少なくとも、既存のシステムを置き換える実用的なシステムを提供することである。
【０００５】
この発明は、複数階の建物用の水供給システムからなると言ってもよく、建物の２以上の階に水を供給する竪管（vertical pipe）と、竪管に接続されたそれぞれの階における配管網と、竪管に接続されたそれぞれの階における水道栓（hydrant）とを備え、それぞれの階における配管網は、１つ以上の消防スプリンクラー（fire sprinkler）を有する少なくとも１つの横引き環状本管（horizontal ring main）と、横引き環状本管から１つ以上の屋内水設備（domestic plumbing fixtures）へそれぞれ接続された１つ以上の竪枝管（vertical branches）とを備えている。
【０００６】
好ましくは、竪管は、複数階に水を供給する竪環状本管（vertical ring main）の部分であり、それぞれの階における配管網は、それぞれの階の居住単位に水を供給する複数の横引き環状本管を備えている。
【発明の開示】
【０００７】
この発明の好ましい形態を、図面と共に説明する。
【０００８】
［図面の説明］
図面を参照すると、異なる建物の範囲に関して様々な態様で実施してもよく、この説明が単なる例示にすぎない方法で記載されていることが理解されるであろう。
【０００９】
図１は、駐車場階及び地下を含む４２階建ての高層ビルに関して、この発明の例示的な形態に係る水サービスを示している。３つのサブシステムＡ、Ｂ、Ｃ及びＤは、２５〜４２階、８〜２４階、及びさらに下の階のそれぞれに接続された一体化された水サービスを提供し、それらは、ビルの高さ全体を通して許容できる圧力を補償するために、別々の区域（zones）として提供される。それぞれのサブシステムは、図示しない別々のポンプによって提供された竪環状本管であり、２つの竪管１１，１２と、２つ以上の横引き枝管１３とを備えている。竪管１１，１２は通常、それらの高さの少なくとも一部に関して、それぞれの吹き抜け又は水力ダクト（hydraulic duct）内またはそれらの近くに位置する。
【００１０】
図１のそれぞれのサブシステムＡ、Ｂ、Ｃ及びＤは、少なくとも１つの環状本管弁１４と、１つ以上の監視された縁切弁１５とを備えている。これらのサブシステムの他の詳細な特徴は、当業者には理解されるであろう。図２は、この発明の例示的な形態に係る水供給サブシステムの簡略模式図である。図２に示されるように、竪環状本管の内部のそれぞれの階に、少なくとも１つの消火栓（fire hydrant）Ｈに接続された出口１６と、各階全体を通してスプリンクラーＳ及び屋内水設備Ｆにスプリンクラー水を供給する水配管網５０に接続された出口１７とが設けられている。水配管網５０は、各階におけるそれぞれの居住単位用の別々の横引き環状本管２０，３２に水を供給する多岐管３０を備え、他の配置も可能ではあるが、例えば、多岐管３０が竪管１１の部分になっている。竪枝管２４は、横引き環状本管２０，３２を屋内水設備Ｆに接続している。１つの竪枝管２４が図２に示されているものの、任意の数の竪枝管２４を、居住単位内の１つ以上の屋内水設備Ｆに水を送出するのに使用してもよい。
【００１１】
図３は、平面図である図１のビルにおける１つの階の典型的な水配管網を示している。水配管網は、別々の横引き管状本管２０を備え、それぞれが、比較的小さな集合住宅のようなそれぞれの居住単位に水を供給する。この実施例では、水配管網は、横引き管状本管２０のそれぞれに関して中央点である多岐管２１を備えている。これらの横引き管状本管２０はサブの水配管網であり、これらのほとんどあるいは全てが、個々の居住単位内のスプリンクラーＳ及び家庭内水設備Ｆに水を供給する。それぞれの横引き管状本管２０は、好ましくは、単純な水平ループであり、居住単位の天井内に形成され、連続して接続されたスプリンクラーＳと、居住単位内の屋内水設備Ｆに水を供給するための竪枝管２４とを備えている。
【００１２】
図３の横引き管状本管２０は、例えば、比較的小さい集合住宅に関するものである。横引き管状本管２０は、３つのスプリンクラーヘッド２３と、屋内水設備用の１つの竪枝管２４とを備えている。水道栓の２つの出口１７が各階に示されている。１つ以上の横引き管状本管が居住単位に水を供給したり、または、横引き管状本管が単純なループよりも複雑な形状を有していたりするように、これらは比較的稀ではあるものの、多くの変形が可能である。消防ホースリールも通常、水道栓の他に設けられており、本管１１に、または、特定の階の水配管網内に適切に接続されていてもよい。
【００１３】
図４は、ある階の部分を通る垂直断面として、図３の横引き環状本管の部分を示している。竪本管１１は、その階に水を供給する。多岐管３０は、水を竪枝管１１からその階における複数の横引き環状本管３２へ供給し、各横引き環状本管３２は、この実施例では、２つの終端点３１を有するループである。１つの横引き環状本管の一部が集合住宅の天井内に示されており、３つのスプリンクラー２３と竪枝管２４とを備えている。屋内水設備は、竪枝管、この場合には、一対の流し台の上方の蛇口３３によって提供されている。その階の踊り場（landing）上の出口１７は、竪本管１１から提供され、一方、ホースリール３４は、多岐管から提供される。
【００１４】
図４の水配管網は、縁切弁３５及び流れモニター３６のような付加的な構成要件を備え、一方、屋内水設備を提供する竪枝管は、縁切弁３７、圧力制限弁３８、及び特定の集合住宅用のメータ３９を備えている。流れモニター３６は、増加した水流によって作動されて、セントラルステーションにアラームを送るようにしてもよく、スプリンクラーが作動していることを示している。現地の環境に適合させるために、必要に応じて他の構成要件を付加してもよく、または構成要件を省略してもよい。
【００１５】
図５は、図４の典型的なスプリンクラー２３の垂直断面を示している。それぞれのスプリンクラーも、好ましくは、ヘッド４０及びＴ状接合部（T-junction）４１を備えた標準の構成要件で形成され、天井箱４２内に位置している。環状本管自体は、好ましくは、コンクリート４５内に埋め込まれたスリーブ４４の内部で修復可能な（retrievable）配管４３の組み立てによって形成される。
【００１６】
それぞれの横引き環状本管の内部で、スプリンクラーと屋内水供給設備とは、それぞれの階に関する全体的な配管網の一部内で組み合わされている。屋内水設備の動作は、それぞれの横引き環状本管を通して水を引き、スプリンクラーを越えて、屋内水設備に接続されたそれぞれの竪枝管に流下させる。これにより、それぞれのスプリンクラー内で起こるであろうよどみが防止され、スプリンクラーシステムを毎日有効にテストする。
【００１７】
それぞれの竪環状本管内で、配管がスプリンクラーを提供し、屋内水供給設備及び水道栓が、複数の階にかけての単一のシステムとして組み合わされる。それぞれの竪環状本管内における屋内水供給設備の動作は、竪管を通して水を引き、水道栓を超えて、再び、水道栓システム及びポンプを毎日有効にテストする。
【図面の簡単な説明】
【００１８】
【図１】複数階の建物における、この発明の例示的な形態に係る水サービスを示す図である。
【図２】この発明の例示的な形態に係る水供給サブシステムの簡略模式図である。
【図３】図１の建物内における１つの階の水配管網の平面図である。
【図４】図１の建物内における１つの階の、この発明の例示的な形態に係る配管網の一部の垂直断面図である。
【図５】この発明の例示的な形態に係る水供給網の一部としてのスプリンクラー要素を示す図である。
【図１】
2008501077.tif 000003
【図２】
2008501077.tif 000004
【図３】
2008501077.tif 000005
【図４】
2008501077.tif 000006
【図５】
2008501077.tif 000007
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
複数階の建物に、一体化された水供給サービスを提供する水供給システムであって、
前記複数階の建物の少なくとも２つの階に水を供給する少なくとも１つの竪管と、
該少なくとも１つの竪管に接続されたそれぞれの階における少なくとも１つの水道栓と、
前記竪管に接続されたそれぞれの階における水供給網と
を備え、
該水供給網は、
それぞれの階の複数の居住単位のそれぞれに水をそれぞれ供給する複数の横引き環状本管と、
該複数の横引き環状本管のそれぞれに接続された少なくとも１つの消防スプリンクラーと、
少なくとも１つの前記複数の横引き環状本管を、少なくとも１つの屋内水設備に接続する少なくとも１つの竪枝管と
を備える水供給システム。
【請求項２】
前記複数の横引き環状本管は、多岐管を介して前記少なくとも１つの竪管に接続されている、請求項１に記載の水供給システム。
【請求項３】
前記水供給システムが火災モードにあるときにアラームを有効にするためのモニターをさらに備える、請求項１に記載の水供給システム。
【請求項４】
前記水供給網はさらに、少なくとも１つのホースリールを備える、請求項１に記載の水供給システム。
【請求項５】
前記少なくとも１つの屋内水設備の動作は、前記複数の横引き環状本管の周囲で、前記少なくとも１つの竪管から水を引き、前記屋内水設備に接続された前記少なくとも１つの竪枝管に流下させる、請求項１に記載の水供給システム。
【請求項６】
複数の区域を有する複数階の建物用の水供給サービスであって、
該水供給サービスは複数の水供給システムを備え、
該複数の水供給システムのそれぞれは、前記複数の区域の対応する１つに水を供給し、
前記複数の水供給システムのそれぞれは、
前記対応する区域に位置する階に水を供給する少なくとも１つの竪管と、
前記階のそれぞれにおける前記少なくとも１つの竪管に接続された水道栓と、
前記階のそれぞれにおける前記竪管に接続された水供給網と
を備え、
前記水供給網は、
それぞれの階の複数の居住単位のそれぞれに水をそれぞれ供給する複数の横引き環状本管と、
該複数の横引き環状本管のそれぞれに接続された少なくとも１つの消防スプリンクラーと、
少なくとも１つの前記複数の横引き環状本管を少なくとも１つの屋内水設備に接続する少なくとも１つの竪枝管と
を備える水供給施設。
【国際調査報告】
2008501077.tif 000008
2008501077.tif 000009